(57)【要約】      （修正有）【課題】パーツ点数や製造コストを増大させず、かつ、歩行時や作業時に甲プロテクタが暴れて邪魔にならないよう安全靴本体に甲プロテクタを確実に固定する甲プロテクト付き安全靴を提供する。【解決手段】甲プロテクタ１２には先端部側ベルト孔および後端部側ベルト孔を設ける一方、安全靴本体１１には第１ベルト用リング１１ｆおよび第２ベルト用リング１１ｇを設け、甲プロテクタ取付け用ベルト１３を第１ベルト用リング１１ｆに通すと共に甲プロテクタ取付け用ベルト１３後端部側を甲プロテクタ１２の先端部側ベルト孔に通した後、甲プロテクタ取付用ベルト１３の固定箇所を重ね合せて縫付けやカシメ金具等で固定し、その後、プロテクタ取付け用ベルト１３後端部を甲プロテクタ１２の後端部側ベルト孔に通すと共に第２ベルト用リング１１ｇに通して、１本の甲プロテクタ取付用ベルト１３で甲プロテクタ１２を安全靴本体１１に固定する。【選択図】図１
0003219923.tif 000002
【実用新案登録請求の範囲】
【請求項１】
安全靴本体の甲部に甲プロテクタが設けられた甲プロテクタ付き安全靴であって、
前記甲プロテクタの先端部には先端部側ベルト孔が設けられている一方、前記甲プロテクタの後端部には後端部側ベルト孔が設けられ、
前記安全靴本体の爪先部表面には第１ベルト用リングが設けられている一方、前記安全靴本体の甲上部表面には第２ベルト用リングが設けられており、
前記甲プロテクタ取付け用ベルトを前記第１ベルト用リングに通すと共に前記甲プロテクタ取付け用ベルトの後端部側を前記甲プロテクタの先端部側ベルト孔および後端部側ベルト孔に通し、さらに第２ベルト用リングに通すことによって前記安全靴本体の甲部に前記甲プロテクタが設けられることを特徴とする甲プロテクタ付き安全靴。
【請求項２】
請求項１記載の甲プロテクタ付き安全靴において、
前記甲プロテクタ取付け用ベルトを前記第１ベルト用リングに通すと共に前記甲プロテクタ取付け用ベルトの後端部側を前記甲プロテクタの先端部側ベルト孔に通し、前記甲プロテクタ取付用ベルトの先端部側を折り返して前記甲プロテクタ取付用ベルトを重ね合せ、前記第１ベルト用リングおよび前記甲プロテクタの先端部側ベルト孔を越えた箇所で重ね合せた前記甲プロテクタ取付用ベルトを縫付けやカシメ金具等で固定されることを特徴とする甲プロテクタ付き安全靴。
【請求項３】
請求項１または請求項２記載の甲プロテクタ付き安全靴において、
前記甲プロテクタ取付け用ベルトにおける前記第１ベルト用リングに通される先端部側には、表側および裏側の両面に雌型面ファスナーが設けられている一方、前記第２ベルト用リングに通される後端部側には、表側または裏側の一方の面に雄型面ファスナーが設けられており、
前記甲プロテクタ取付け用ベルトを前記第１ベルト用リングに通すと共に前記甲プロテクタ取付け用ベルトの後端部側である前記雄型面ファスナーを前記甲プロテクタの先端部側ベルト孔および後端部側ベルト孔に通し、前記第１ベルト用リングに通した前記甲プロテクタ取付け用ベルトの先端部側を折り返して先端部側の前記雌型面ファスナーを前記甲プロテクタの裏側の先端部側ベルト孔と後端部側ベルト孔との間で露出している前記雄型面ファスナーと接着し、さらに前記甲プロテクタ取付け用ベルトの後端部側である前記雄型面ファスナーを前記第２ベルト用リングに通し、前記第２ベルト用リングに通した前記甲プロテクタ取付け用ベルトの後端部側を折り返して後端部側の前記雄型面ファスナーを前記甲プロテクタの裏側で前記雌型面ファスナーに接着することによって前記安全靴本体の甲部に前記甲プロテクタが設けられることを特徴とする甲プロテクタ付き安全靴。
【考案の詳細な説明】
【技術分野】
【０００１】
本考案は、安全靴本体の甲部に甲プロテクタが設けられた甲プロテクタ付き安全靴に関する。
【背景技術】
【０００２】
従来より、安全靴本体の甲部に甲プロテクタを設けた甲プロテクタ付き安全靴として、歩行時や作業時に甲プロテクタが暴れて歩行や作業の邪魔になるおそれが無いように甲プロテクタの先端部（爪先側）および後端部を安全靴表面に連結するものが提案されている（例えば、特許文献１〜４参照。）。
【先行技術文献】
【特許文献】
【０００３】
【特許文献１】特開２０１６−０３００５３号公報
【特許文献２】特開２０１２−２１７６９５号公報
【特許文献３】実用新案登録第３００３６５５号公報
【特許文献４】特開平９−２８９９０２号公報
【考案の概要】
【考案が解決しようとする課題】
【０００４】
しかし、上述の特許文献１〜４に開示された甲プロテクタ付き安全靴では、甲プロテクタの先端部（爪先側）および後端部を安全靴表面に連結しているため、甲プロテクタの先端部（爪先側）のみ安全靴表面に連結する場合と比較して歩行時や作業時に甲プロテクタが暴れて歩行や作業の邪魔になるおそれは無いものの、甲プロテクタの先端部（爪先側）および後端部をそれぞれ別部材により安全靴表面に連結しているため、パーツ点数が増大し、製造コストが増大するという問題がある。
【０００５】
そこで、本考案はこのような問題点に鑑み提案されたもので、パーツ点数や製造コストを増大させず、かつ、歩行時や作業時に甲プロテクタが暴れて邪魔にならないよう安全靴本体に甲プロテクタを確実に固定することができる甲プロテクタ付き安全靴を提供することを目的とする。
【課題を解決するための手段】
【０００６】
上記課題を解決するため、本考案に係る甲プロテクタ付き安全靴は、安全靴本体の甲部に甲プロテクタが設けられた甲プロテクタ付き安全靴であって、前記甲プロテクタの先端部には先端部側ベルト孔が設けられている一方、前記甲プロテクタの後端部には後端部側ベルト孔が設けられ、前記安全靴本体の爪先部表面には第１ベルト用リングが設けられている一方、前記安全靴本体の甲上部表面には第２ベルト用リングが設けられており、前記甲プロテクタ取付け用ベルトを前記第１ベルト用リングに通すと共に前記甲プロテクタ取付け用ベルトの後端部側を前記甲プロテクタの先端部側ベルト孔および後端部側ベルト孔に通し、さらに第２ベルト用リングに通すことによって前記安全靴本体の甲部に前記甲プロテクタが設けられることを特徴とする。
また、本考案に係る甲プロテクタ付き安全靴では、前記甲プロテクタ取付け用ベルトを前記第１ベルト用リングに通すと共に前記甲プロテクタ取付け用ベルトの後端部側を前記甲プロテクタの先端部側ベルト孔に通し、前記甲プロテクタ取付用ベルトの先端部側を折り返して前記甲プロテクタ取付用ベルトを重ね合せ、前記第１ベルト用リングおよび前記甲プロテクタの先端部側ベルト孔を越えた箇所で重ね合せた前記甲プロテクタ取付用ベルトを縫付けやカシメ金具等で固定されることも特徴とする。
また、本考案に係る甲プロテクタ付き安全靴では、前記甲プロテクタ取付け用ベルトにおける前記第１ベルト用リングに通される先端部側には、表側および裏側の両面に雌型面ファスナーが設けられている一方、前記第２ベルト用リングに通される後端部側には、表側または裏側の一方の面に雄型面ファスナーが設けられており、前記甲プロテクタ取付け用ベルトを前記第１ベルト用リングに通すと共に前記甲プロテクタ取付け用ベルトの後端部側である前記雄型面ファスナーを前記甲プロテクタの先端部側ベルト孔および後端部側ベルト孔に通し、前記第１ベルト用リングに通した前記甲プロテクタ取付け用ベルトの先端部側を折り返して先端部側の前記雌型面ファスナーを前記甲プロテクタの裏側の先端部側ベルト孔と後端部側ベルト孔との間で露出している前記雄型面ファスナーと接着し、さらに前記甲プロテクタ取付け用ベルトの後端部側である前記雄型面ファスナーを前記第２ベルト用リングに通し、前記第２ベルト用リングに通した前記甲プロテクタ取付け用ベルトの後端部側を折り返して後端部側の前記雄型面ファスナーを前記甲プロテクタの裏側で前記雌型面ファスナーに接着することによって前記安全靴本体の甲部に前記甲プロテクタが設けられることも特徴とする。
【考案の効果】
【０００７】
本考案に係る甲プロテクタ付き安全靴では、安全靴本体に第１ベルト用リングと第２ベルト用リングを設け、甲プロテクタの先端部側ベルト孔と後端部側ベルト孔とに甲プロテクタ取付け用ベルトを挿入し、先端部側ベルト孔を通った甲プロテクタ取付け用ベルトの先端部は当該安全靴本体表面の第１ベルト用リングを通って固定する一方、後端部側ベルト孔を通った甲プロテクタ取付け用ベルトの後端部は当該安全靴本体表面の第２ベルト用リングを通って固定する。
そのため、一本の甲プロテクタ取付け用ベルトでも甲プロテクタを安全靴本体の甲部に設けることが可能となり、パーツ点数や製造コストを増大させず、かつ、歩行時や作業時に甲プロテクタが暴れて邪魔にならないよう安全靴本体に甲プロテクタを固定することができる。
【図面の簡単な説明】
【０００８】
【図１】本考案に係る甲プロテクタ付き安全靴の一例を示す斜視図である。
【図２】本考案に係る甲プロテクタ付き安全靴を構成する安全靴本体の斜視図である。
【図３】本考案に係る甲プロテクタ付き安全靴を構成する甲プロテクタの斜視図である。
【図４】（ａ）〜（ｃ）それぞれ本考案に係る甲プロテクタ付き安全靴を構成する甲プロテクタ取付け用ベルトの正面図、平面図、底面図である。
【図５】本考案に係る甲プロテクタ付き安全靴を構成する安全靴本体の第１ベルト用リングに甲プロテクタ取付け用ベルトの先端部を通した状態を示す斜視図である。
【図６】図５に示すように第１ベルト用リングに先端部を通した状態の甲プロテクタ取付け用ベルトの後端部を甲プロテクタのベルト孔に挿入した状態を示す図である。
【図７】図６に示すように甲プロテクタ取付け用ベルトの後端部を甲プロテクタのベルト孔に挿入後、甲プロテクタ取付け用ベルト先端部の雌型面ファスナーを甲プロテクタ取付け用ベルト後端部の雄型面ファスナーに接着して甲プロテクタ取付け用ベルトに甲プロテクタを固定し、甲プロテクタ取付け用ベルトを縫い付け、甲プロテクタのベルト孔に甲プロテク取付け用ベルトを挿入した状態を示す図である。
【図８】図７に示すように甲プロテクタ取付け用ベルト先端部の雌型面ファスナーを甲プロテクタ取付け用ベルト後端部の雄型面ファスナーに接着して甲プロテクタ取付け用ベルトに甲プロテクタを固定した後、甲プロテクタ取付け用ベルト後端部を安全靴本体の第２ベルト用リングに通した状態を示す図である。
【図９】甲プロテクタを取り付けた本考案に係る甲プロテクタ付き安全靴の甲プロテクタ裏側における甲プロテクタ取付け用ベルトの重なりや接着状態等を示す部分断面図である。
【考案を実施するための形態】
【０００９】
以下、本考案に係る甲プロテクタ付き安全靴の実施の形態を、添付図面を参照しながら詳細に説明する。なお、下記に説明する実施形態は本考案の一例であり、本考案は下記の実施形態に限定されるものではなく、本考案の技術思想の範囲内で適宜変更可能である。
【００１０】
＜実施の形態の甲プロテクタ付き安全靴１の構成＞
本考案に係る実施の形態の甲プロテクタ付き安全靴１は、図１に示すように安全靴本体１１の甲部分を主に保護するように甲プロテクタ１２を設けたもので、安全靴本体１１と、甲プロテクタ１２と、甲プロテクタ取付け用ベルト１３等から構成されている。
【００１１】
（安全靴本体１１）
安全靴本体１１は、図２に示すように、大きく分けると爪先部１１ａと、甲部１１ｂと、底部１１ｃと、胴部１１ｄ等を有し、周知の各種の製造方法により製造しており、内側には布製の内張りやクッション材等を設けると共に、作業者の爪先を保護するため爪先部１１ａに硬質合成樹脂やアルミ等の金属製の周知の先芯１１ｅを設けている。
【００１２】
そして、安全靴本体１１の甲部１１ｂに甲プロテクタ１２を設けるため、爪先部１１ａと、胴部１１ｄの下部ないしは甲部１１ｂの上部とに、それぞれ、第１ベルト用リング１１ｆと、第２ベルト用リング１１ｇとを設けている。
【００１３】
第１ベルト用リング１１ｆおよび第２ベルト用リング１１ｇは、共に、３０ｍｍ程度の所定幅を有する甲プロテクタ取付け用ベルト１３が円滑に通るように３０ｍｍより若干広い内幅を有する長方形状の角リング（角カン）で構成されている。
【００１４】
また、第１ベルト用リング１１ｆおよび第２ベルト用リング１１ｇは、その一辺を安全靴本体１１の素材と同じゴム製等のリング取付けベルト１１ｈ，１１ｉを折り返して第１ベルト用リング１１ｆおよび第２ベルト用リング１１ｇの一辺を挟むと共に、折り返したリング取付けベルト１１ｈ，１１ｉ基端部を上から安全靴本体１１の素材と同じゴム製等の貼付け部材１１ｊ，１１ｋを接着剤等で安全靴本体１１表面に貼り付けて安全靴本体１１表面に設ける。
【００１５】
（甲プロテクタ１２）
甲プロテクタ１２は、図１や図３に示すように安全靴本体１１の甲部１１ｂを保護するように甲部１１ｂの形状に応じて湾曲した形状に形成されており、甲プロテクタ１２の先端部である爪先部１１ａ側には甲プロテクタ取付け用ベルト１３が通る１つの先端部側ベルト孔１２ａが設けられている一方、甲プロテクタ１２の後端部である胴部１１ｄ側には甲プロテクタ取付け用ベルト１３が通る２つの後端部側ベルト孔１２ｂ，１２ｃを設けている。
【００１６】
そして、２つの後端部側ベルト孔１２ｂ，１２ｃ間の間隔は甲プロテクタ取付け用ベルト１３の幅よりも短く、例えば１０ｍｍ前後とする一方、先端部側ベルト孔１２ａと後端部側ベルト孔１２ｂ間の間隔は甲プロテクタ取付け用ベルト１３の幅よりも長く、例えば６０ｍｍ程度確保している。
【００１７】
（甲プロテクタ取付け用ベルト１３）
甲プロテクタ取付け用ベルト１３は、強化ナイロン等により編み上げられ、伸縮性が小さく引張強度が大きい厚手のナイロン生地を使用して、例えば３０ｍｍ程度の所定幅で、３３０ｍｍ〜４００ｍｍ程度の長さのナイロンベルト本体１３ａ等によって構成されており、甲プロテクタ１２を第１ベルト用リング１１ｆおよび第２ベルト用リング１１ｇを利用して安全靴本体１１に取り付けるために使用するものである。尚、甲プロテクタ取付け用ベルト１３の幅や長さは、一例であり、靴のサイズ等によって変更されるものであり、当然にこの幅や長さに限定されるものではない。
【００１８】
そのため、第１ベルト用リング１１ｆに通されるナイロンベルト本体１３ａの先端部側には、図４（ａ）〜（ｃ）に示すように表側および裏側の両面に例えば７０ｍｍ程度の長さを有する雌型面ファスナー１３ｂ,１３ｃが設けられている一方、第２ベルト用リング１１ｇに通されるナイロンベルト本体１３ａの後端部側には、表側または裏側の一方の面（図４（ａ）〜（ｃ）では、表側に設けている。）に例えば１８０ｍｍ程度の長さを有する雄型面ファスナー１３ｄを設けている。
【００１９】
尚、図４（ｂ），（ｃ）において、１３ｅは後述するように甲プロテクタ取付け用ベルト１３を第１ベルト用リング１１ｆに通した後、折り返す折返し箇所を示し、１３ｆ，１３ｆは後述するように甲プロテクタ取付け用ベルト１３を第１ベルト用リング１１ｆおよび甲プロテクタ１２の先端部側ベルト孔１２ａに通し折り返した後、互いに縫付けたりカシメ金具等で固定する固定箇所を示している。
【００２０】
＜安全靴本体１１への甲プロテクタ１２の取付け＞
次に、以上のように構成された安全靴本体１１への甲プロテクタ１２の取付け方法の一例について説明する。
【００２１】
まず、甲プロテクタ付き安全靴１を構成する上述した図２に示すような構成の安全靴本体１１の第１ベルト用リング１１ｆに対し、図５に示すように甲プロテクタ取付け用ベルト１３を通し、次いで図６に示すように甲プロテクタ取付け用ベルト１３の後端部側である雄型面ファスナー１３ｄ側を甲プロテクタ１２の先端部側ベルト孔１２ａに通す。尚、先に甲プロテクタ取付け用ベルト１３を甲プロテクタ１２の先端部側ベルト孔１２ａに通しておき、その後、甲プロテクタ取付け用ベルト１３の先端部側となる雌型面ファスナー１３ｂ,１３ｃ側を第１ベルト用リング１１ｆに通しても勿論良い。
【００２２】
次に、図７に示すように甲プロテクタ取付け用ベルト１３の折返し箇所１３ｅ（図４（ｂ），（ｃ）参照。）で折り返して、第１ベルト用リング１１ｆおよび甲プロテクタ１２の先端部側ベルト孔１２ａを越えた甲プロテクタ取付用ベルト１３先端部側の固定箇所１３ｆと甲プロテクタ取付用ベルト１３後端部側の固定箇所１３ｆとで重ね合せ、２箇所の固定箇所１３ｆ，１３ｆ同士が外れないように例えば縫付けやカシメ金具等で固定する。
【００２３】
その後、図７に示すように甲プロテクタ１２の後端部側ベルト孔１２ｂにプロテクタ取付け用ベルト１３の後端部を甲プロテクタ１２の裏側から表側へ挿入し、後端部側ベルト孔１２ｃにはプロテクタ取付け用ベルト１３の後端部を甲プロテクタ１２の表側から裏側へ挿入し、必要あれば甲プロテクタ１２の先端部側ベルト孔１２ａと後端部側ベルト孔１２ｂとの間や後端部側ベルト孔１２ｂと後端部側ベルト孔１２ｃ間でプロテクタ取付け用ベルト１３が弛まないようにプロテクタ取付け用ベルト１３の後端部を引っ張る。
【００２４】
すると、図７に示すように甲プロテクタ取付け用ベルト１３は折返し箇所１３ｅにおいて第１ベルト用リング１１ｆの一辺を挟むように折返した上で固定箇所１３ｆ，１３ｆ同士を縫付けやカシメ金具等で固定しており、しかも図４（ａ）等に示すように甲プロテクタ取付け用ベルト１３先端の雌型面ファスナー１３ｃの反対側には雌型面ファスナー１３ｂが設けられ、雌型面ファスナー１３ｂは雄型面ファスナー１３ｄに対向するので、雌型面ファスナー１３ｂを甲プロテクタ１２裏側の先端部側ベルト孔１２ａと後端部側ベルト孔１２ｂとの間で露出している甲プロテクタ取付け用ベルト１３の雄型面ファスナー１３ｄに接着する。
【００２５】
ただし、図７に示す状態は、甲プロテクタ１２を甲プロテクタ取付け用ベルト１３に対し確実に固定したものの、甲プロテクタ取付け用ベルト１３先端部のみ安全靴本体１１の爪先部１１ａ表面の第１ベルト用リング１１ｆにのみ連結した状態で、甲プロテクタ取付け用ベルト１３後端部は第２ベルト用リング１１ｇに連結していない。
【００２６】
そのため、続いて図８に示すように甲プロテクタ取付け用ベルト１３後端部を安全靴本体１１の胴部１１ｄに設けた第２ベルト用リング１１ｇに通し、甲プロテクタ取付け用ベルト１３後端部の雄型面ファスナー１３ｄを折り返して、図９に示すように甲プロテクタ１２裏側に回した甲プロテクタ取付け用ベルト１３の雄型面ファスナー１３ｄを、甲プロテクタ１２裏側で下方、すなわち安全靴本体１１の甲部１１ｂ表面を向いている甲プロテクタ取付け用ベルト１３後端部の雌型面ファスナー１３ｃに接着させることによって、一本の甲プロテクタ取付け用ベルト１３でも甲プロテクタ１２を安全靴本体１１の甲部１１ｂに設けることができる。
【００２７】
すると、甲プロテクタ１２の裏側、特にその裏側の先端部側ベルト孔１２ａと後端部側ベルト孔１２ｂ間では、図９から明らかなように、先端部側ベルト孔１２ａと後端部側ベルト孔１２ｂとに通した甲プロテクタ取付け用ベルト１３と、第１ベルト用リング１１ｆで折り返した甲プロテクタ取付け用ベルト１３と、第２ベルト用リング１１ｇで折り返した甲プロテクタ取付け用ベルト１３との三層構造となり、しかも甲プロテクタ取付け用ベルト１３に設けた雌型面ファスナー１３ｂ,１３ｃと雄型面ファスナー１３ｄとによって剥離可能な状態で確実に接着することができると共に、雌型面ファスナー１３ｂ,１３ｃおよび雄型面ファスナー１３ｄによる接着部分は全て甲プロテクタ１２裏側に隠れることになる。
【００２８】
尚、以上説明した安全靴本体１１への甲プロテクタ１２の取付け方法はあくまで一例であり、上述以外の取付け手順で甲プロテクタ１２を甲プロテクタ取付け用ベルト１３で安全靴本体１１へ取付けるようにしても勿論良い。
【００２９】
＜本考案に係る実施形態の甲プロテクタ付き安全靴１の主な効果＞
以上説明したように本考案に係る実施形態の甲プロテクタ付き安全靴１では、甲プロテクタ１２には先端部側ベルト孔１２ａおよび後端部側ベルト孔１２ｂ，１２ｃを設ける一方、安全靴本体１１には第１ベルト用リング１１ｆおよび第２ベルト用リング１１ｇを設け、安全靴本体１１の第１ベルト用リング１１ｆに甲プロテクタ取付け用ベルト１３を通すと共に甲プロテクタ取付け用ベルト１３後端部側を甲プロテクタ１２の先端部側ベルト孔１２ａに通した後、甲プロテクタ取付用ベルト１３の２つの固定箇所１３ｆ，１３ｆを重ね合せて外れないように縫付けやカシメ金具等で固定し、その後、プロテクタ取付け用ベルト１３後端部を甲プロテクタ１２の後端部側ベルト孔１２ｂ，１２ｃに通すと共に安全靴本体１１の第２ベルト用リング１１ｇに通して固定する。
【００３０】
そのため、一本の甲プロテクタ取付け用ベルト１３でも甲プロテクタ１２を安全靴本体１１の甲部１１ｂに設けることが可能となり、パーツ点数や製造コストを増大させず、かつ、歩行時や作業時に甲プロテクタが暴れて邪魔にならないよう安全靴本体１１に甲プロテクタ１２を確実に固定することができる。
【００３１】
特に、本考案に係る実施形態の甲プロテクタ付き安全靴１では、甲プロテクタ１２の後端部側ベルト孔１２ｂ，１２ｃは、先端部側ベルト孔１２ａに向かって２箇所形成されており、２つの後端部側ベルト孔１２ｂ，１２ｃ間の間隔は、先端部側ベルト孔１２ａと先端部側ベルト孔１２ａに近い後端部側ベルト孔１２ｂとの間の間隔よりも小さくしている。
【００３２】
そのため、間隔が狭い後端部側ベルト孔１２ｂ，１２ｃに甲プロテクタ取付け用ベルト１３を通すことによって甲プロテクタ取付け用ベルト１３から甲プロテクタ１２、またはその反対に甲プロテクタ１２から甲プロテクタ取付け用ベルト１３をずれ難くすることができる。また、甲プロテクタ取付け用ベルト１３の先端側に近い甲プロテクタ１２の先端部側ベルト孔１２ａは、１つの孔なので、甲プロテクタ１２を甲プロテクタ取付け用ベルト１３の先端側に移動させ易くなり、甲プロテクタ１２の取付けを容易に行うことができる。
【００３３】
また、間隔が広い先端部側ベルト孔１２ａと先端部側ベルト孔１２ａに近い後端部側ベルト孔１２ｂとの間では、甲プロテクタ取付け用ベルト１３が甲プロテクタ１２の裏側を通るように甲プロテクタ取付け用ベルト１３を通すことによって、甲プロテクタ１２の表側にはプロテクタ取付け用ベルト１３の露出面積が減少するので、甲プロテクタ取付け用ベルト１３が他の物に当たって傷付いたり切断すること等を防止できる。
【００３４】
また、本考案に係る実施形態の甲プロテクタ付き安全靴１では、第１ベルト用リング１１ｆに通される甲プロテクタ取付け用ベルト１３の先端部側には、表側および裏側の両面に雌型面ファスナー１３ｂ,１３ｃを設ける一方、第２ベルト用リング１１ｇに通される後端部側には、表側または裏側の一方の面に雄型面ファスナー１３ｄを設けており、甲プロテクタ取付け用ベルト１３を第１ベルト用リング１１ｆに通すと共に甲プロテクタ取付け用ベルト１３後端部側である雄型面ファスナー１３ｄ側を甲プロテクタ１２の先端部側ベルト孔１２ａに通した後、甲プロテクタ取付用ベルト１３の２つの固定箇所１３ｆ，１３ｆを重ね合せて外れないように縫付けやカシメ金具等で固定し、その後、プロテクタ取付け用ベルト１３後端部側である雄型面ファスナー１３ｄ側を甲プロテクタ１２の後端部側ベルト孔１２ｂ，１２ｃに通すと共に安全靴本体１１の第２ベルト用リング１１ｇに通した後、雄型面ファスナー１３ｄを折り返して甲プロテクタ１２の裏側で雌型面ファスナー１３ｃに接着させることによって甲プロテクタ１２を安全靴本体１１の甲部１１ｂに設ける。
【００３５】
そのため、一本の甲プロテクタ取付け用ベルト１３でも甲プロテクタ１２を安全靴本体１１の甲部１１ｂに容易かつ確実に取り付けることができると共に、甲プロテクタ取付け用ベルト１３の先端部側および後端部側に設けた雌型面ファスナー１３ｂ,１３ｃおよび雄型面ファスナー１３ｄに設けた面ファスナーによる固定なので、時間の経過等によって甲プロテクタ取付け用ベルト１３が緩み、甲プロテクタ１２が安全靴本体１１の甲部１１ｂからズレ易くなった場合には、甲プロテクタ取付け用ベルト１３の雌型面ファスナー１３ｂ,１３ｃおよび雄型面ファスナー１３ｄ同士の接着をいったん剥がし、再度、甲プロテクタ取付け用ベルト１３の雌型面ファスナー１３ｂ,１３ｃおよび雄型面ファスナー１３ｄ同士を接着させることが容易であり、甲プロテクタ１２のズレ等を簡単に修正することができ、使用勝手を向上させることができる。
【００３６】
また、甲プロテクタ取付け用ベルト１３によって甲プロテクタ１２を安全靴本体１１の甲部１１ｂに取り付けた際、甲プロテクタ取付け用ベルト１３同士の連結部分である雌型面ファスナー１３ｂ,１３ｃおよび雄型面ファスナー１３ｄは全て甲プロテクタ１２の裏側にまわり甲プロテクタ１２によって隠れ、安全靴本体１１の表面側に現れないので、歩行時や作業時に甲プロテクタ取付け用ベルト１３同士の連結部分が引っ掛ったりして連結部分が剥がれることを防止できると共に、甲プロテクタ取付け用ベルト１３同士の連結部分が安全靴本体１１の甲部１１ｂ表側と甲プロテクタ１２の裏側との間に位置するので歩行時や作業時に安全靴本体１１の甲部１１ｂ表側や甲プロテクタ１２裏側に適宜当接したり挟まれること等によって、甲プロテクタ取付け用ベルト１３同士の連結部分がより剥がれ難くなり、この点でも安全靴本体１１に甲プロテクタ１２をより確実に固定することができる。
【００３７】
尚、上記実施形態の説明では、安全靴本体１１は、図２に示すように爪先部１１ａや甲部１１ｂ、底部１１ｃ以外に胴部１１ｄを有する安全長靴で説明したが、本考案ではこれに限らず、胴部１１ｄを有さない短靴等の安全靴本体１１にも適用可能である。
【００３８】
また、上記実施形態の説明では、甲プロテクタ取付け用ベルト１３同士の連結に雌型面ファスナー１３ｂ,１３ｃおよび雄型面ファスナー１３ｄを用いて説明したが、本考案では面ファスナーに限らず、ホック（図示せず。）等を使用して連結するように構成しても良いし、縫付けによって甲プロテクタ取付け用ベルト１３同士を連結するようにしても良い。
【００３９】
また、上記実施形態の説明では、甲プロテクタ取付け用ベルト１３を第１ベルト用リング１１ｆに連結する際、甲プロテクタ取付け用ベルト１３を第１ベルト用リング１１ｆおよび甲プロテクタ１２の先端部側ベルト孔１２ａに通した後、固定箇所１３ｆ，１３ｆで縫付けたりカシメ金具等で固定して甲プロテクタ１２が安全靴本体１１や甲プロテクタ取付け用ベルト１３から脱落しないように説明したが、本考案ではこれに限らず、例えば、甲プロテクタ１２を安全靴本体１１や甲プロテクタ取付け用ベルト１３から取り外すことが出来るよう固定箇所１３ｆ，１３ｆで縫付けたりカシメ金具等で固定せずにホック（図示せず。）等で取り外し可能に構成しても良いし、さらには甲プロテクタ取付け用ベルト１３に甲プロテクタ１２を通す前に、甲プロテクタ取付け用ベルト１３を第１ベルト用リング１１ｆに通した後、直ぐに甲プロテクタ取付け用ベルト１３同士を縫い付けたりカシメ金具等で固定して第１ベルト用リング１１ｆから甲プロテクタ取付け用ベルト１３を脱落しないように構成しても良い。甲プロテクタ取付け用ベルト１３を第１ベルト用リング１１ｆに対しホック（図示せず。）等で取り外し可能に連結した場合、ユーザは安全靴本体１１から甲プロテクタ１２および甲プロテクタ取付け用ベルト１３を取り外すことも可能となり、甲プロテクタ取付け用ベルト１３を第１ベルト用リング１１ｆに通した後、直ぐに甲プロテクタ取付け用ベルト１３同士を縫付けたりカシメ金具等で固定した場合、ユーザは安全靴本体１１から甲プロテクタ取付け用ベルト１３を取り外すことができないものの、甲プロテクタ１２は取り外して交換等を行うことが出来る。
【符号の説明】
【００４０】
１  甲プロテクタ付き安全靴
１１  安全靴本体
１１ａ  爪先部
１１ｂ  甲部
１１ｃ  底部
１１ｄ  胴部
１１ｅ  先芯
１１ｆ  第１ベルト用リング
１１ｇ  第２ベルト用リング
１１ｈ，１１ｉ  リング取付けベルト
１１ｊ，１１ｋ  貼付け部材
１２  甲プロテクタ
１２ａ  先端部側ベルト孔
１２ｂ，１２ｃ  後端部側ベルト孔
１３  甲プロテクタ取付け用ベルト
１３ａ  ナイロンベルト本体
１３ｂ,１３ｃ  雌型面ファスナー
１３ｄ  雄型面ファスナー
１３ｅ  折返し箇所
１３ｆ，１３ｆ  固定箇所
【図１】
0003219923.tif 000003
【図２】
0003219923.tif 000004
【図３】
0003219923.tif 000005
【図４】
0003219923.tif 000006
【図５】
0003219923.tif 000007
【図６】
0003219923.tif 000008
【図７】
0003219923.tif 000009
【図８】
0003219923.tif 000010
【図９】
0003219923.tif 000011